(57)【要約】【課題】  音声認識結果に応じて音声認識に必要な情報を用いて正確な音声認識結果を得る。【解決手段】  音声認識を要求する情報処理端末２００から音声の特徴情報を取得し、その特徴情報に基づいた音声認識結果を評価する。そして、サーバ１００は、その評価に応じて、縮減レベルを緩和した特徴情報または音声情報自体を情報処理端末２００に要求する。音声情報自体を取得後、サーバ１００は、その情報に基づいた音声認識結果を生成する。【選択図】  図１
2005055606.tif 000002
【特許請求の範囲】
【請求項１】
音声認識を要求する情報処理端末と接続するサーバであり、
前記音声認識の対象である音声情報を所定のレベルまで縮減した特徴情報を、前記情報処理端末から受信する、特徴情報受信手段と、
前記特徴情報に含まれる情報が不足している場合には、前記縮減のレベルを緩和した特徴情報を要求する、情報要求手段と、を備える、サーバ。
【請求項２】
前記特徴情報に対して音声認識を実行する手段と、
音声認識結果の評価を算出する評価算出手段と、を備え、
前記情報要求手段は、
前記評価に基づいて縮減レベルを緩和した特徴情報を要求する、請求項１に記載のサーバ。
【請求項３】
前記情報要求手段は、
前記特徴情報に含まれる情報が不足している場合に、
前記特徴情報に代え、前記音声情報自体を要求する、請求項１または２に記載のサーバ。
【請求項４】
音声を認識するサーバと接続する情報処理端末であり、
音声を受け付ける音声入力手段と、
前記音声認識の対象である音声情報を所定のレベルまで縮減した特徴情報を抽出する抽出手段と、
前記特徴情報及び前記音声を記憶する音声情報記憶手段と、
前記特徴情報を前記サーバに送信する送信手段と、
前記サーバからの要求に応じて、縮減のレベルを緩和した特徴情報を提供する、情報提供手段と、を備える、情報処理端末。
【請求項５】
前記情報提供手段は、
前記サーバから前記音声情報自体を要求された場合には、この音声情報自体をサーバに提供する、請求項４に記載の情報処理端末。
【請求項６】
音声認識を要求する情報処理端末と接続するサーバに実行させるプログラムであり、
前記音声認識の対象である音声情報を所定のレベルまで縮減した特徴情報を、前記情報処理端末から受信するステップと、
前記特徴情報に含まれる情報が不足している場合には、前記縮減のレベルを緩和した特徴情報を要求するステップと、をコンピュータに実行させる、音声認識プログラム。
【請求項７】
前記特徴情報に対して音声認識を実行するステップと、
音声認識結果の評価を算出するステップと、
前記評価に基づいて縮減レベルを緩和した特徴情報を要求するステップと、をさらに実行させる、請求項６に記載の音声認識プログラム。
【請求項８】
前記特徴情報に含まれる情報が不足している場合に、
前記特徴情報に代え、前記音声情報自体を要求するステップをさらに実行させる、請求項６または７に記載の音声認識プログラム。
【請求項９】
音声を認識するサーバと接続する情報処理端末に実行させるプログラムであり、
音声を受け付けるステップと、
前記前記音声認識の対象である音声情報を所定のレベルまで縮減した特徴情報を抽出す
るステップと、
前記特徴情報及び前記音声を記憶するステップと、
前記特徴情報を前記サーバに送信するステップと、
前記サーバからの要求に応じて、縮減のレベルを緩和した特徴情報を提供するステップと、をコンピュータに実行させる、音声認識プログラム。
【請求項１０】
前記サーバから前記音声情報自体を要求された場合には、この音声情報自体をサーバに提供するステップをさらに実行させる、請求項９に記載の音声認識プログラム。
【請求項１１】
音声認識を要求する情報処理端末と、音声を認識するサーバとを有する音声認識システムであり、
前記サーバは、
前記音声認識の対象である音声情報を所定のレベルまで縮減した特徴情報を、前記情報処理端末から受信する、特徴情報受信手段と、
前記特徴情報に含まれる情報が不足している場合には、前記縮減のレベルを緩和した特徴情報を要求する、情報要求手段と、を備え、
前記情報処理端末は、
音声を受け付ける音声入力手段と、
前記前記音声認識の対象である音声情報を所定のレベルまで縮減した特徴情報を抽出する抽出手段と、
前記特徴情報及び前記音声を記憶する音声情報記憶手段と、
前記特徴情報を前記サーバに送信する送信手段と、
前記サーバからの要求に応じて、縮減のレベルを緩和した特徴情報を提供する、情報提供手段と、を備える、音声認識システム。
【発明の詳細な説明】
【技術分野】
【０００１】
本発明は、音声認識技術に関する。
【背景技術】
【０００２】
一般に、自動車に搭載されるカーナビゲーションシステムなどの、移動体用の情報端末において、端末操作のインタフェースとして音声認識手段が用いられている。上記情報端末が音声認識手段による操作を受け付けることで、ユーザは、キーボード等の入力手段からの複雑な入力操作を情報端末に対して行うことなく、地名検索の指示あるいは目的地の設定等を行い、当該情報端末を利用していた。
【０００３】
ところで、上記情報端末の音声認識に関して、音声認識結果を向上させるために、様々な技術が鑑みられてきた。このような、音声認識に関する技術として、通信ネットワーク上の装置間における音声データ認識性能を向上させることができる音声認識通信システムに関する技術（例えば、特許文献１参照。）が開示されている。
【特許文献１】特開２００１−１４２４８８号公報
【発明の開示】
【発明が解決しようとする課題】
【０００４】
ところで、上記移動体用の情報端末の音声認識技術では、情報端末側の処理能力にとらわれることなく処理を行うために、サーバ側で音声認識処理を行う、いわゆる分散型音声認識（Distributed Speech Recognition：以下DSRとする）が用いられていた。
【０００５】
上記DSRでは、情報端末が音声情報を抽出し、サーバに送信する。サーバは、受信した特徴情報により、音声を認識する。上記DSRでは、このような処理における通信データ量を抑えるために、情報端末は、音声情報から抽出した特徴情報を圧縮し、サーバ側に送信する。
【０００６】
しかしながら、圧縮した特徴情報では、ユーザが発した音声情報を正確に反映した音声認識結果を得ることができない場合があった。具体的には、端末によって音声情報の圧縮を行う際に、その音声情報に対する音声認識に必要な特徴情報が取り除かれてしまう場合があった。この場合、サーバでは、受信した特徴情報に基づいて音声認識を行うことができなかった。
【０００７】
本発明は、上記事項に鑑みて為されたものであり、音声認識結果に応じて音声認識に必要な情報を用いて正確な音声認識結果を得ることを、その解決すべき課題とする。
【課題を解決するための手段】
【０００８】
本発明は上記課題を解決するために、以下の手段を採用した。
【０００９】
本発明において、音声を認識する音声情報の特徴情報を、音声を認識するサーバ側の要求に応じて取得することが可能となれば、正確な音声認識結果を得ることが可能となる。
【００１０】
すなわち、本発明は、音声認識を要求する情報処理端末と接続するサーバであり、前記音声認識の対象である音声情報を所定のレベルまで縮減した特徴情報を、前記情報処理端末から受信する、特徴情報受信手段と、前記特徴情報に含まれる情報が不足している場合には、前記縮減のレベルを緩和した特徴情報を要求する、情報要求手段と、を備えるよう
にした。なお、本発明において、音声情報の縮減とは、例えば、音声情報のビット数を減少させる、データを圧縮する、周波数スペクトラムに変換して情報を抽出する、あるいはケプストラムによって情報を抽出する等、音声情報のうち特徴情報を抽出する様々な処理が挙げられる。そして、本発明において、縮減レベルとは、上記様々な処理によって抽出される特徴情報の情報量を示す。
【００１１】
本発明のサーバは、音声を認識する際に、この情報処理端末から送信された音声の特徴情報によって正確な音声認識結果を得ることができるか否かを判定する。そして、サーバは、この特徴情報の情報量が不足する場合には、情報処理端末側に不足する情報を補う縮減レベルを緩和した特徴情報を要求する。
【００１２】
従って、本発明のサーバによれば、音声認識結果に応じて音声認識に必要な情報を用いて正確な音声認識結果を得ることができる。
【００１３】
また、本発明のサーバは、前記特徴情報に対して音声認識を実行する手段と、音声認識結果の評価を算出する評価算出手段と、を備え、前記情報要求手段は、前記評価に基づいて縮減レベルを緩和した特徴情報を要求してもよい。
【００１４】
本発明のサーバでは、音声認識結果の評価に基づいて、要求する情報の縮減レベルを決定する。
【００１５】
従って、本発明のサーバによれば、正確な音声認識結果を得るための情報を確実に取得して音声を認識することができる。
【００１６】
本発明のサーバは、前記情報要求手段は、前記特徴情報に含まれる情報が不足している場合に、前記特徴情報に代え、前記音声情報自体を要求してもよい。
【００１７】
本発明のサーバでは、取得した特徴情報に基づいた音声認識結果に応じて、正確な音声認識結果を得るために音声情報自体を取得する。
【００１８】
従って、本発明のサーバによれば、必要に応じて、ユーザの音声を正確に反映した音声認識結果を得ることができる。
【００１９】
また、本発明は、音声を認識するサーバと接続する情報処理端末であり、音声を受け付ける音声入力手段と、前記前記音声認識の対象である音声情報を所定のレベルまで縮減した特徴情報を抽出する抽出手段と、前記特徴情報及び前記音声を記憶する音声情報記憶手段と、前記特徴情報を前記サーバに送信する送信手段と、前記サーバからの要求に応じて、縮減のレベルを緩和した特徴情報を提供する、情報提供手段と、を備えるようにした。
【００２０】
本発明の情報処理端末では、受け付けた音声から特徴情報を抽出して、特徴情報及び音声を記憶する。そして、本発明の情報処理端末では、音声を認識するサーバ側の要求に応じて、縮減レベルを緩和した特徴情報を提供する。
【００２１】
従って、本発明の情報処理端末によれば、正確な音声認識結果を得るために必要な情報を効率的にサーバ側に提供することができる。
【００２２】
また、本発明の情報処理端末は、前記情報提供手段は、前記サーバから前記音声情報自体を要求された場合には、この音声情報自体をサーバに提供してもよい。
【００２３】
本発明の情報処理端末では、正確な音声認識結果を得る際に音声情報自体が必要な場合
には、サーバ側の要求に応じてこの音声情報を提供する。
【００２４】
従って、本発明の情報処理端末によれば、サーバ側の要求に応じて、正確な音声認識結果を得る際に必要な情報を提供することができる。
【発明の効果】
【００２５】
以上のように、本発明によれば音声認識結果に応じて音声認識に必要な情報を用いて正確な音声認識結果を得ることができる。
【発明を実施するための最良の形態】
【００２６】
以下、図面を参照して、本発明の一実施の形態に係る音声認識システム（以下、本システムとも称する）を、図１から図４の図面に基づいて説明する。本システムは、サーバ及び情報処理端末からなる。
【００２７】
〈本システムの概略〉
まず、本システムの概略を説明する。本システムのサーバ及び情報処理端末は、以下に示す特徴を備える。
【００２８】
本システムのサーバは、その特徴として、音声認識を要求する情報処理端末から音声の特徴情報を取得し、その特徴情報に基づいた音声認識結果を評価する。そして、本システムのサーバは、その評価に応じて、縮減レベルを緩和した音声認識に必要な情報を情報処理端末に要求する。必要な情報を取得後、本システムのサーバは、その情報に基づいた音声認識結果を生成する。
【００２９】
従って、本システムのサーバによれば、ユーザの音声を反映させた、正確な音声認識結果を得ることができる。
【００３０】
また、本システムの情報処理端末は、その特徴として、サーバ側で音声を認識するために、音声を取得して特徴情報を抽出する際に、その特徴情報及び音声を記憶する。そして、本システムの情報処理端末は、縮減レベルを緩和した音声認識をサーバ側で行う際に、サーバ側の要求に応じて、記憶する音声から縮減レベルを緩和した特徴情報を抽出する。また、本システムの情報処理端末は、縮減レベルを緩和した音声認識をサーバ側で行う際に、サーバが上記特徴情報あるいは縮減レベルを緩和した特徴情報に代えて音声を要求した場合には、その音声を提供する。
【００３１】
従って、本システムの情報処理端末によれば、正確な音声認識結果を得る際に、音声を認識するサーバに必要な情報を提供し、この正確な音声認識結果をサーバから得ることができる。
【００３２】
〈システム構成〉
図１は、本実施の形態に係る音声認識システムの概略構成図の一例である。図１に示すように、本実施の形態に係る音声認識システムは、本発明のサーバの一例であるサーバ１００と、本発明の情報処理端末の一例である車載用情報端末２００とを備える。そして、本音声認識システムでは、サーバ１００と車載用情報端末２００とが、既存の通信網を利用したネットワーク３００を介して接続している。なお、このネットワーク３００としては、公衆の携帯電話網、無線ＬＡＮ（Local Area Network）用通信網、及びＥＴＣ（Electronic Toll Collection System）用無線通信網等の、既存の様々な通信網を用いることができる。また、図１において、サーバ１００に対して、一つの車載用情報端末２００が接続されているが、本実施の形態に係る音声認識システムでは、図示しない複数の車載用情報端末２００がネットワーク３００を介して接続している。
【００３３】
〈装置構成〉
次に、本実施の形態に係る音声認識システムを構成する装置及び端末について説明する。
【００３４】
サーバ１００は、パーソナルコンピュータやサーバ装置などの、既存の情報処理装置によって構成される。本実施の形態において、これら既存の情報処理装置には、本システムのサーバの機能を実現するプログラムが導入（インストール）される。そして、このプログラムをインストールすることによって、既存の情報処理装置は、本実施の形態に係るサーバ１００として用いることができる。
【００３５】
図１に示すように、本実施の形態に係るサーバ１００は、本発明のサーバの各機能を実現するために、以下の構成要素を備える。すなわち、本サーバ１００は、ＣＰＵ（Central Processing Unit）１０１、音声認識エンジン１０３，音声認識データベース１０４を有する音声認識手段１０２、音響分析手段１０５、及び通信手段１０６を備える。
【００３６】
次に、本サーバ１００の上記の構成要素について説明する。
【００３７】
ＣＰＵ１０１は、ハードディスク装置等の記憶装置（不図示）にインストールされたプログラムを実行して、本音声認識システムに係るサーバの各種機能、すなわち、本システムのサーバの各種機能を実現する。すなわち、ＣＰＵ１０１に、上記記憶装置にインストールされたプログラムを実行させることで、本システムのサーバ１００は、特徴情報受信手段、情報要求手段、どこまでの特徴情報を要求するかの判定手段、及び評価算出手段の、本発明のサーバの機能を実現する。ＣＰＵ１０１は、どこまでの特徴情報を要求するかの判定手段、及び情報要求手段の機能を実現するために、車載用情報端末２００に特徴情報または音声の送信要求を送信する際に、デシジョンテーブルを参照する。
【００３８】
図２は、本システムのデシジョンテーブルの一例である。このデシジョンテーブルには、受信した特徴情報に基づいて算出した音声認識結果の評価尺度と、その評価尺度に対応するサーバ１００のアクション（処理）内容が予め定められて記憶されている。本システムのデシジョンテーブルにおいて、評価尺度とは、音声認識において一般的に行われている音声認識結果の一致度（マッチング）を所定の基準によって任意に分類して得点化したものである。
【００３９】
音声認識手段１０２は、音声認識処理に必要な情報である音声認識情報を用いて文字情報に基づいてユーザに発する音声情報を認識する、音声認識エンジン１０３を備える。また、音声認識手段１０２は、音声情報を生成するために参照する特徴情報等の音声特徴情報を格納する、音声認識データベース１０４を備える。なお、本音声認識システムにおいて、音声認識手段１０２の音声認識エンジン１０３は、ＣＰＵ１０１によって実行されるプログラムによって実現される。
【００４０】
音声認識エンジン１０３は、車載用情報端末２００の音声入力手段２０２に入力された音声から抽出した特徴情報を取得する。そして、音声認識エンジン１０３は、音声認識データベース１０４に格納されている特徴情報を参照して、取得した特徴情報から音声認識結果を生成する。なお、本音声認識システムにおいて、特徴情報は、音声情報のうちユーザが発した言葉を特定することのできる特徴となる情報である。なお、上記特徴情報の一例として、取得した音声情報からユーザが発した言語の音声情報のみを周波数スペクトラムに変換して抽出する処理、周波数の包絡線を抽出する処理（いわゆるケプストラム）などによって取得した情報が挙げられる。
【００４１】
音響分析手段１０５は、サーバ１００側で音声情報から特徴情報を抽出する処理を実行する。すなわち、音響分析手段１０５は、車載用情報端末２００から音声認識結果に応じて特徴情報抽出の対象となる音声情報自体を取得した場合に、上記周波数スペクトラムから抽出する処理、あるいはケプストラムによって抽出する処理などによってこの音声情報から特徴情報を抽出する。
【００４２】
通信手段１０６は、ネットワーク３００を介して、個々のユーザの車載用情報端末２００と通信する。この通信手段１０６は、車載用情報端末２００から特徴情報、及び音声のいずれかの情報を受信する。また、通信手段１０６は、音声認識結果、及び音声認識に必要な情報に対する要求を送信する。
【００４３】
次に、本実施の形態に係る車載用情報端末２００について説明する。
【００４４】
本実施の形態に係る車載用情報端末２００は、本発明の情報処理端末の各機能を実現するために、以下の構成要素を備える。車載用情報端末２００は、プログラムに基づいて各種情報処理を行うＣＰＵ２０１、ユーザの音声を取得するマイクなどの音声入力手段２０２、取得した音声に基づいて音声の特徴情報を抽出する音響分析手段２０３、取得した音声及び抽出した特徴情報を記憶する音声データ用メモリ（本発明の記憶手段に対応）２０４、文字情報を音声情報に合成する音声合成手段２０５、合成した音声を出力するスピーカなどの音声出力手段２０６、文字情報などを表示するディスプレイなどの表示手段２０７、及び通信手段２０８を備える。そして、車載用情報端末２００の構成要素のうち、音響分析手段２０３，音声合成手段２０５は、CPUに実行させるプログラムによって実現される機能である。なお、ＣＰＵ２０１は、本発明の情報処理端末の情報提供手段に対応する機能も実現する。
【００４５】
上記車載用情報端末２００の構成要素のうち、音響分析手段２０３は、ユーザが発した特徴情報抽出に必要な音声を取得した場合に、音声の周波数スペクトラムから特徴情報を抽出する処理、あるいはケプストラムによって音声から特徴情報を抽出する処理によって、この音声から特徴情報を抽出する。なお、音響分析手段２０３は、本発明の情報処理端末の特徴情報抽出手段に対応する。
【００４６】
また、上記構成要素のうち、通信手段２０８は、音声認識のためにサーバ１００へ特徴情報及び音声を送信する。また、通信手段２０８は、サーバ１００が送信した特徴情報及び音声の送信要求を受信する。
【００４７】
〈処理フローチャート〉
次に、本音声認識システムに係る、サーバ１００及び車載用情報端末２００の処理について、フローチャートを用いて説明する。
【００４８】
図３は、本実施の形態に係るサーバ１００の処理フローチャートである。
【００４９】
まず、サーバ１００は、車載用情報端末（クライアント）２００から、音声を認識する対象となる特徴情報のデータを受信する（図３におけるステップ１０１、以下Ｓ１０１のように省略する）。
【００５０】
受信した特徴情報を用いて、サーバ１００は、音声認識手段１０２によって音声を認識する（Ｓ１０２）。
【００５１】
音声認識の結果を生成後、サーバ１００は、所定の基準によって音声認識結果の評価尺度を算出する。そして、サーバ１００は、その評価尺度に対応したサーバ１００のアクシ
ョンを、図２に示したデシジョンテーブルを参照してどこまでの特徴情報を要求するかを判定する。
【００５２】
サーバ１００は、デシジョンテーブルに基づいて、音声認識結果の評価尺度が例えば０．７以上であるか否かを判定する（Ｓ１０３）。このとき、音声認識結果の評価尺度が０．７以上であれば、サーバ１００は、この音声認識結果は認容できる結果であると判定する。そして、サーバ１００は、音声認識結果を車載用情報端末に送信するデータとして設定する（Ｓ１０４）。
【００５３】
また、Ｓ１０３において、認識結果の評価尺度が０．７以下である場合には、サーバ１００は、その評価尺度が０．３以上であるか否かを判定する（Ｓ１０５）。このとき、評価尺度が０．３以上である場合には、サーバ１００は、デシジョンテーブルに基づいて、車載用情報端末２００が送信した特徴情報より縮減レベルを緩和した情報量を含む特徴情報の送信を、車載用情報端末２００に要求する（Ｓ１０６）。
【００５４】
Ｓ１０５において、音声認識結果の評価尺度が０．３以下である場合、サーバ１００は、サーバ１００の音響分析手段１０５によって特徴情報の抽出を行うために、原音である音声の送信を、車載用情報端末２００に要求する（Ｓ１０７）。
【００５５】
そして、サーバ１００は、Ｓ１０４，１０６，１０７によって車載用情報端末２００に送信する送信データ、または要求する送信要求データが決定した後、この送信データまたは送信要求データを車載用情報端末２００に送信する（Ｓ１０８）。送信要求データ送信後、サーバ１００は、本フローチャートの処理を終了する。
【００５６】
次に、本実施の形態の車載用情報端末２００の処理について説明する。
【００５７】
図４は、本実施の形態に係る車載用情報端末２００の処理フローチャートである。
【００５８】
車載用情報端末２００は、音声入力手段２０２に入力された音声から特徴情報を抽出して特徴情報を生成する。そして、車載用情報端末２００は、特徴情報を生成後、入力された音声を音声データ用メモリ２０４に記憶する（図４におけるステップ２０１、以下Ｓ２０１のように省略する）。
【００５９】
車載用情報端末２００は、この特徴情報を、サーバ１００に送信する（Ｓ２０２）。
【００６０】
特徴情報送信後、車載用情報端末２００は、サーバ１００からのデータ受信を完了するまで待つ（Ｓ２０３）。
【００６１】
Ｓ２０３において、サーバ１００からのデータの受信を完了した場合には、車載用情報端末２００は、この受信したデータをＣＰＵ２０１が読み込む。そして、車載用情報端末２００は、この受信したデータが音声認識結果であるか否かを判定する（Ｓ２０５）。受信したデータが音声認識結果である場合には、車載用情報端末２００は、本フローチャートの処理を終了し、この音声認識結果を出力する。
【００６２】
Ｓ２０５において、受信したデータが音声認識結果ではないと判定した場合には、車載用情報端末２００は、このデータが送信済みの特徴情報よりさらに縮減レベルを緩和した特徴情報の送信要求であるか否かを判定する（Ｓ２０６）。このデータが、縮減レベルを緩和した特徴情報の送信要求である場合には、車載用情報端末２００の音響分析手段２０３が音声から縮減レベルを緩和した特徴情報を抽出する。そして、車載用情報端末２００は、縮減レベルを緩和した特徴情報をサーバ１００に送信する（Ｓ２０７）。
【００６３】
なお、縮減レベルを緩和した特徴情報を抽出する際に、車載用情報端末２００は、特徴情報の情報量を増やすために、例えば、情報の圧縮率を変更する、あるいは特徴情報の抽出方法を変更する等の方法が考えられる。具体的には、例えば、図２のデシジョンテーブルに示すように、評価尺度が「０．７以上」の場合のサーバ１００側のアクション「通常の特徴情報（１次から１２次までのケプストラム各８ビット）」に代えて、「より詳しい（縮減レベルを緩和した）特徴情報（１次から１２次までのケプストラム各３２ビット」を抽出すればよい。
【００６４】
また、Ｓ２０６において、縮減レベルを緩和した特徴情報の送信要求でないと判定した場合には、車載用情報端末２００は、音声を認識する音声の原音データを、音声データ用メモリ２０４から検索して、サーバ１００に送信する（Ｓ２０８）。
【００６５】
〈実施の形態の効果〉
本実施の形態に係る、サーバ１００及び車載用情報端末２００を備える音声認識システムを実現することにより、以下のような効果が得られる。
【００６６】
本システムでは、サーバ１００が音声認識結果の評価尺度に応じて、この音声認識に必要な情報を、縮減レベルを緩和した特徴情報、または音声の原音データと判断して、これらの情報を車載用情報端末２００に要求する。そして、この要求に応じた情報を、車載用情報端末２００は、サーバ１００に送信する。従って、本システムによれば、音声認識結果に応じて正確な音声認識結果を得ることができる。
【００６７】
本システムによれば、音声認識結果に応じて車載用情報端末２００から送信する情報を変更するため、通信に必要なデータ量が抑制しつつ正確な音声認識結果を得ることができる。
【００６８】
また、本システムによれば、車載用情報端末２００が抽出した音声認識結果の評価尺度が低い場合には、原音データを送信して、サーバ１００が特徴情報を抽出して音声を認識するため、正確な音声認識結果を得ることができる。
【００６９】
〈変形例〉
本実施の形態において、本システムのサーバ及び情報処理端末は、主に車載用情報端末に対する音声認識処理の一例について説明したが、本発明ではこれに限らず、その他の音声認識システムに対して広く実施することができる。
【００７０】
例えば、本実施の形態に係る音声合成システムでは、本システムの情報処理端末は車載用情報端末２００であったが、本発明ではこれに限定されない。すなわち、本発明の情報処理端末は、車載用以外の他の携帯情報端末（ＰＤＡ）、各種携帯型電話機、あるいは既存のユーザ向けコンピュータなど、他のあらゆる情報処理装置の音声合成処理に適用することができる。
【００７１】
例えば、本システムでは、音声認識結果の評価尺度は、図２に示したデシジョンテーブルに基づいて判定したが、本発明の評価算出手段ではこれに限定されず、様々な算出方法で評価を算出することができる。
【００７２】
また、例えば、本システムでは、特徴情報の抽出方法は、周波数スペクトラムまたはケプストラムによる抽出を行ったが、本発明の特徴情報、及び縮減レベルを緩和した特徴情報はこれに限定されず、様々な音声の特徴情報抽出方法を用いることができる。
【産業上の利用可能性】
【００７３】
本発明は、情報処理端末の音声を認識する際に分散型音声を認識する産業に適用可能である。
【図面の簡単な説明】
【００７４】
【図１】本システムの一実施の形態に係る音声認識システムの概略構成図の一例である。
【図２】デシジョンテーブルのデータテーブルの一例である。
【図３】本実施の形態に係るサーバの処理フローチャートである。
【図４】本実施の形態に係る車載用情報端末の処理フローチャートである。
【符号の説明】
【００７５】
１００ サーバ
１０１ ＣＰＵ
１０２ 音声認識手段
１０３ 音声認識エンジン
１０４ 音声認識データベース
１０５ 音響分析手段
１０６ 通信手段
２００ 車載用情報端末
２０１ ＣＰＵ
２０２ 音声入力手段
２０３ 音響分析手段
２０４ 音声データ用メモリ
２０５ 音声合成手段
２０６ 音声出力手段
２０７ 表示手段
２０８ 通信手段
３００ ネットワーク
【図１】
2005055606.tif 000003
【図２】
2005055606.tif 000004
【図３】
2005055606.tif 000005
【図４】
2005055606.tif 000006